(57)【要約】【課題】排水孔を通じてピット等に排水される水の流れを阻害することなく、かつ、必要に応じて前記排水孔を容易に開閉することができるスライド式ピット蓋を提供する。【解決手段】排水及び通気のための複数の第１排水孔が設けられた外天板、前記外天板の対向するそれぞれの辺から垂下された外側板、それぞれの前記外側板の下端から内側に向けて設けられた底板を備える外板と、前記第１排水孔に対応する複数の第２排水孔が設けられた内天板、前記内天板の対向するそれぞれの辺から垂下された内側板を備える内板と、を備え、前記内板が前記外板の内側にスライド可能に挿着され、前記内板がスライドされることで前記第１排水孔が前記内天板により開閉されることを特徴とする。【選択図】図１
2014224361.tif 000002
【特許請求の範囲】
【請求項１】
排水及び通気のための複数の第１排水孔が設けられた外天板、前記外天板の対向するそれぞれの辺から垂下された外側板、それぞれの前記外側板の下端から内側に向けて設けられた底板を備える外板と、
前記第１排水孔に対応する複数の第２排水孔が設けられた内天板、前記内天板の対向するそれぞれの辺から垂下された内側板を備える内板と、を備え、
前記内板が前記外板の内側にスライド可能に挿着され、前記内板がスライドされることで前記第１排水孔が前記内天板により開閉されることを特徴とするスライド式ピット蓋。
【請求項２】
前記第２排水孔が前記第１排水孔より大きく構成されたことを特徴とする請求項１に記載のスライド式ピット蓋。
【請求項３】
前記内天板に第３排水孔をさらに備え、
前記第３排水孔は、前記内天板により前記第１排水孔が閉じられたときに、前記外天板の裏側において前記第１排水孔の周囲に前記第２排水孔が配置されない位置に設けられることを特徴とする請求項２に記載のスライド式ピット蓋。
【請求項４】
前記外天板に操作孔を設け、
前記内天板の、前記操作孔に対応する位置に操作用突起を設け、
前記操作用突起を操作することにより前記操作孔の長さ分前記内板をスライドさせることができるとともに、前記操作用突起が前記操作孔の端部に接触することにより前記内板のスライド距離が制限されることを特徴とする請求項１ないし３のいずれか１項に記載のスライド式ピット蓋。
【請求項５】
前記操作用突起が前記内天板に設けられた雌ネジと前記雌ネジに螺着された雄ネジとで構成され、
前記雄ネジを締め込むことで前記雄ネジのネジ先が前記底板に接触し前記内板のスライドが制限されることを特徴とする請求項１ないし４のいずれか１項に記載のスライド式ピット蓋。
【発明の詳細な説明】
【技術分野】
【０００１】
本発明は、排水ピットや排水溝等に用いられるピット蓋に関し、詳しくは排水及び通気のための排水孔を備えながら、該排水孔を開閉自在としたピット蓋に関する。
【背景技術】
【０００２】
排水ピット、排水溝に取り付ける蓋には、その近傍を流れる水を排水するための排水孔を設ける場合がある。しかし、特に気温の高い時期等において、該排水孔から蚊等の虫が出入りしたり、排水された水の臭気が漏れたりすることがある。そこで、特開２０１２−１８８９２０号公報には、溝蓋の蚊や虫の侵入及び臭気の排出の防止として、溝蓋に複数設けられた排水孔にカバーを取り付ける溝蓋の構造が開示されている。
【０００３】
また、実開昭６２−３１１９４号公報には、溝蓋を自在に開閉するために、点検口を有する躯体上に内外覆い蓋用レールを布設し、かつ、このレール上に内外覆い蓋を移動自在に載設した可動式覆い蓋が開示されている。
【先行技術文献】
【特許文献】
【０００４】
【特許文献１】特開２０１２−１８８９２０号公報
【特許文献２】実開昭６２−３１１９４号公報
【発明の概要】
【発明が解決しようとする課題】
【０００５】
しかし、特許文献１に開示されている技術では、通気の遮断及び確保において、一つ一つの排水孔全てにカバーを着脱する必要があり、手間がかかるという課題があった。また、カバーが抵抗となるため迅速な排水が困難になるおそれがあるという課題もあった。
【０００６】
また、特許文献２に開示されている技術では、蓋自体を開閉させる技術であり、蓋に設けられた排水孔を開閉する技術については開示されていない。
【０００７】
本発明は、上記の点に鑑みなされたもので、その課題は、排水孔を通じてピット等に排水される水の流れを阻害することなく、かつ、必要に応じて前記排水孔を容易に開閉することができるスライド式ピット蓋を提供することを目的とする。
【課題を解決するための手段】
【０００８】
本発明のスライド式ピット蓋は、排水及び通気のための複数の第１排水孔が設けられた外天板、前記外天板の対向するそれぞれの辺から垂下された外側板、それぞれの前記外側板の下端から内側に向けて設けられた底板を備える外板と、
前記第１排水孔に対応する複数の第２排水孔が設けられた内天板、前記内天板の対向するそれぞれの辺から垂下された内側板を備える内板と、を備え、
前記内板が前記外板の内側にスライド可能に挿着され、前記内板がスライドされることで前記第１排水孔が前記内天板により開閉されることを特徴とする。
【０００９】
本発明のスライド式ピット蓋によれば、内板のスライドされる位置により、第１排水孔の下に第２排水孔を重ねて第１排水孔を開けたり、第１排水孔の下に内天板の板部分を重ねて第１排水孔を閉じたりすることができる。また、内板のスライドにより第１排水孔の開閉を行うため、内板をスライドさせる距離を調整することで、第１排水孔の開口度を任意に設定することができる。さらに、内板は、内側板の下端が外板の底板の上面に載置されることで支えられており、内側板と底板との接触が内側板の下端という線状部分でなされている。このため、内板と外板との接触面積が少なく、内板と外板との間に適度な摩擦抵抗が生じ、内板のスライド操作を容易にすることができるとともに、ピットや排水溝等に若干の勾配があっても、内板が自然にスライドすることがない。
【００１０】
また、本発明のスライド式ピット蓋によれば、構造が簡単であり、製作にかかるコストを低減させることができるとともに、故障が少なく保守が容易となる。さらに、前記内板の外形寸法が前記外板の内側寸法と略同じであり、外板と内板は略密着しているため、蓋が二重構造となり外力に対する強度を増加させることができる。なお、内板が外板の内側にスライド可能に挿着されているとは、内板の外形寸法と外板の内形寸法とが略同じであり、内天板と外天板、内側板と外側板がそれぞれ略密着された状態で挿着されていることを意図する。
【００１１】
本発明のスライド式ピット蓋の好ましい例は、前記第２排水孔が前記第１排水孔より大きく構成されたことを特徴とする。
【００１２】
本発明のスライド式ピット蓋の好ましい例によれば、第２排水孔が第１排水孔より大きく構成されているため、第１排水孔が開かれた状態において、排水される雨水や汚水等（以下、単に「水」と省略する場合がある。）が第２排水孔の縁を伝わって第１天板と第２天板との隙間に入り込むことが殆どない。また、内天板により第１排水孔が閉じられた状態であっても、隣接する複数の第２排水孔が、外天板の裏側において第１排水孔の周囲に位置するため、第１排水孔から第１天板と第２天板との隙間に入り込んだ水が速やかに第２排水孔から排出される。このため、水に含まれている塵や汚泥等が内天板と外天板との間に詰まることが少なくなり、内板の動作不良を起こすことを防止できる。なお、第２排水孔が第１排水孔より大きく構成されるとは、第２排水孔が第１排水孔の形状を単に大きくした場合のみならず、様々な形状を含むことを意図する。
【００１３】
本発明のスライド式ピット蓋の他の好ましい例は、前記内天板に第３排水孔をさらに備え、
前記第３排水孔は、前記内天板により前記第１排水孔が閉じられたときに、前記外天板の裏側において前記第１排水孔の周囲に前記第２排水孔が配置されない位置に設けられることを特徴とする。
【００１４】
本発明のスライド式ピット蓋の他の好ましい例によれば、内天板に第３排水孔がさらに設けられる。これは、内天板により第１排水孔が閉じられたときに、外天板の端部近傍等の裏側において第２排水孔が第１排水孔の周囲に存在しない位置が生じる場合があるが、当該位置に第３排水孔を設けることにより、全ての第１排水孔の周囲に第２排水孔又は第３排水孔が配置されるものである。これにより、第１排水孔から外天板と内天板との隙間に入り込んだ水を速やかに排出でき、水に含まれている塵や汚泥等が外天板と内天板との間に詰まることがより少なくなり、内板の動作不良を起こすことをより防止できる。
【００１５】
本発明のスライド式ピット蓋の他の好ましい例は、前記外天板に操作孔を設け、
前記内天板の、前記操作孔に対応する位置に操作用突起を設け、
前記操作用突起を操作することにより前記操作孔の長さ分前記内板をスライドさせることができるとともに、前記操作用突起が前記操作孔の端部に接触することにより前記内板のスライド距離が制限されることを特徴とする。
【００１６】
本発明のスライド式ピット蓋の他の好ましい例によれば、前記外天板に内板を操作するための操作孔を設け、前記内天板に操作用突起を設けている。このため、該操作用突起を操作すれば内板をスライドさせることができ、第１排水孔の開閉が容易にできる。また、操作孔の端部に操作用突起が接触することで、内板のスライド距離を所望の距離に設定することができるとともに、スライド式ピット蓋の着脱時において、内板が外板から抜け落ちるのを防止することができる。
【００１７】
本発明のスライド式ピット蓋の他の好ましい例は、前記操作用突起が前記内天板に設けられた雌ネジと前記雌ネジに螺着された雄ネジとで構成され、
前記雄ネジを締め込むことで前記雄ネジのネジ先が前記底板に接触し前記内板のスライドが制限されることを特徴とする。
【００１８】
本発明のスライド式ピット蓋の他の好ましい例によれば、操作用突起が雌ネジと雄ネジとで構成されているため、製造や保守が容易にできるとともに、使用方法が簡単になる。また、雄ネジをそのネジ先が外板の底板に接触するまで締め込むことで、内板の固定を容易に行うことができる。
【発明の効果】
【００１９】
上述したように、本発明のスライド式ピット蓋によれば、ピット等に排水される水の流れを阻害することなく、また、必要に応じて排水孔を簡単な操作で閉めることにより、虫の出入りや臭気の排出を防止することができる。
【図面の簡単な説明】
【００２０】
【図１】本発明の一実施形態に係るスライド式ピット蓋を示す図である。
【図２】操作孔と操作用突起を示す図である。
【図３】スライド式ピット蓋の平面図及び動作を示す図である。
【図４】本発明の他の実施形態に係るスライド式ピット蓋の平面図及び動作を示す図である。
【図５】本発明の他の実施形態に係るスライド式ピット蓋の平面図及び動作を示す図である。
【図６】本発明の他の実施形態に係るスライド式ピット蓋の平面図及び動作を示す図である。
【発明を実施するための形態】
【００２１】
以下、本発明のスライド式ピット蓋の実施の形態について、添付図面を参照して詳細に説明する。
【００２２】
［第１実施形態］
図１は、本発明の第１実施形態に係るスライド式ピット蓋１０を示す図である。また、図２（Ａ）は、本実施形態のスライド式ピット蓋１０の操作用突起４５を示す図であり、図２（Ｂ）は、図２（Ａ）のＡ−Ａ線断面拡大図である。また、図３（Ａ）は、外板２０の平面図であり、図３（Ｂ）は、内板４０の平面図である。また、図３（Ｃ）（Ｄ）は、本実施形態のスライド式ピット蓋１０の動作を示す図である。
【００２３】
図１に示すように、本実施形態のスライド式ピット蓋１０は、外板２０と、内板４０とを備え、内板４０が外板２０の内側にスライド可能に挿着される。
【００２４】
外板２０は、その上面に位置する外天板２１と、前記外天板２１の対向するそれぞれの辺から垂下された外側板２２と、それぞれの前記外側板２２の下端から内側に向けて設けられた底板２３とを備え、その外観は側面視でＣ字形をなす。この外側板２２と底板２３は、図示しない排水ピットや排水溝の縁に設けられた受枠に敷設され、外天板２１と図示しない周囲の床とが略同じ高さとなる。また、外板２０の材質は、肉厚を比較的薄く構成できる金属が好ましく、中でも強度と耐腐食性に優れたステンレスがより好ましい。
【００２５】
第１排水孔２４は、排水及び通気のため、外天板２１に複数設けられており、その形態は排水及び通気ができる形状と数であれば特に限定されない。また、複数の第１排水孔２４の配置も特に限定されないが、単位面積あたりの第１排水孔２４の数を増やすためには、内板４０がスライドされる方向に沿って第１排水孔２４を千鳥状に配置することが好ましい。本実施形態では長孔形状の第１排水孔２４を千鳥状に複数列設けている。
【００２６】
内板４０は、その上面に位置する内天板４１と、内天板４１の対向するそれぞれの辺から垂下された内側板４２とを備え、その外観は側面視でコ字形をなす。そして、内板４０は、その外形寸法が外板２０の内形寸法と略同じに構成され、内天板４１と外天板２１、内側板４２と外側板２２がそれぞれ略密着された状態で外板２０に挿着される。この挿着された状態では、内板４０は内側板の下端４３が外板２０の底板２３に載置され接触することで支えられる。この接触は線状でなされるため、内板４０と外板２０とは適度な摩擦抵抗を有する。この適度な摩擦抵抗により、内板４０のスライドが容易にできるとともに、スライド式ピット蓋１０を傾斜された場所に設置しても重力により内板４０が自然に移動することがない。また、スライドレール等の機構が不要となるため、構造が簡単であるとともに、水に含まれる塵や汚泥等がスライドレールに入り込む等の故障が発生しない。
【００２７】
また、内板４０の長さは、外板２０の内側でスライドされるため、スライドされる距離の分だけ外板２０より短く構成されている。なお、内板４０の材質も外板２０同様に金属が好ましく、中でもステンレスがより好ましい。
【００２８】
第２排水孔４４は、内天板４１において、第１排水孔２４に対応する位置に複数設けられており、その形状は第１排水孔２４と略同じ形状となっている。第２排水孔４４を第１排水孔２４と同じ形状とすることで、製造時の内板４０と外板２０の加工において、第１排水孔２４と第２排水孔４４を打ち抜く金型の共通化ができ、製造工程の簡素化を図ることができる。
【００２９】
また、図２（Ａ）（Ｂ）にも示すように、外天板２１の任意の位置には、内天板４１に触れ操作するための操作孔２５が設けられ、内天板４１において、前記操作孔２５に対応する位置には、内天板４１をスライド操作するための操作用突起４５が設けられている。この操作用突起４５を操作することにより、内板４０をスライドさせることができるとともに、操作用突起４５が操作孔の端部２６に接触することにより前記内板４０のスライド距離が制限される。また、スライド式ピット蓋１０を着脱するときも、上記のように内板４０のスライド距離が制限されるため、内板４０の脱落を防止することができる。
【００３０】
この操作用突起４５は、スライド式ピット蓋１０の上を通過する人や台車等の通行を妨害するものでなければどのような形態であってもよい。例えば、製造工程において外板２０に内板４０を挿着した時点で、取っ手等の突起物を内板４０の当該部分に溶接、リベット、ボルト等で固着する、又は内板４０の当該部分に孔を設け、その孔の裏から棒体や球体等を付勢手段で内板４０の表側に付勢し突出させる等の方法をとることができる。
【００３１】
本実施形態では図２（Ｂ）に示すように、操作用突起４５が内天板４１に設けられた雌ネジ（ナット４６）と前記雌ネジに螺着された雄ネジ（ボルト４７）とで構成されている。これは、内天板４１の所定部分に孔を設け、該孔の裏側にナット４６を溶接等で固着させ、該ナット４６にボルト４７を螺着させたものである。そして、ボルト４７の頭部４８を内天板４１より突出させることで、操作用突起４５を形成している。このボルト４７には、例えば、ホーローネジ４７（六角穴付き止めねじ）を採用することで、内天板４１からの余分な突起を抑制しながら、該ホーローネジ４７の頭部４８に工具を差し込むことで容易に内板４０をスライドさせることができる。
【００３２】
また、ホーローネジ４７の長さを、そのネジ先４９が外板２０の底板２３の上面に到達する程度の長さとすることで、ホーローネジ４７を締め込むことによりホーローネジ４７のネジ先４９が底板２３に接触し押しつけられ、内板４０を所望の位置に固定することができ、第１排水孔２４の開口度を任意に設定することができる。
【００３３】
次に、本実施形態のスライド式ピット蓋１０の動作及び作用を説明する。
図３（Ｃ）に示すように、外板２０の内側に挿着された内板４０が、図の左方向に位置するとき、外天板２１に設けられた第１排水孔２４と、内天板４１に設けられた第２排水孔４４とが互いに重なり、当該孔を通じて排水及び通気がなされる。このとき、操作用突起４５であるホーローネジ４７の頭部４８は、上天板に設けられた操作孔２５の左端部２６に接触しており、これより左側に内板４０が移動するのを制限している。また、ホーローネジ４７のネジ先４９も、底板２３に接触しており内板４０が移動するのを制限している。さらに、ホーローネジ４７の頭部４８は外天板２１の上面より突出しておらず、人や台車等の通行を妨害することもない（図２（Ｂ）参照。）。次に、ホーローネジ４７に図示しない公知の工具を差し込み、ホーローネジ４７を緩める。すると、ホーローネジ４７のネジ先４９が外板２０の底板２３から離れ、内板４０を自在にスライドさせることができるようになる。
【００３４】
次に、ホーローネジ４７に差し込まれた工具を持って、内板４０を図の右方向にスライドさせる。すると、図３（Ｄ）に示すように、外天板２１に設けられた第１排水孔２４と内天板４１の板部分とが重なり、第１排水孔２４が塞がれる。また、このとき、ホーローネジ４７の頭部４８が操作孔２５の右端部２６に接触し、これより右方向に内板４０が移動するのを制限している。次に、工具を用いてホーローネジ４７を締め込むと、ホーローネジ４７のネジ先４９が外板２０の底板２３に接触し押しつけられることにより内板４０が固定される。なお、上記の説明は第１排水孔２４が全開と全閉のときの説明であるが、ホーローネジ４７を操作孔２５の途中で止めることにより、第１排水孔２４の開口度を任意に設定することもできる。
【００３５】
［第２実施形態］
次に、本発明のスライド式ピット蓋１０の他の実施形態を説明する。なお、上述の第１実施形態と構成が同じ箇所は、同じ符号を付して説明を省略する。図４（Ａ）は、本発明の第２実施形態に係るスライド式ピット蓋１０の外板２０の平面図であり、図４（Ｂ）は、本実施形態の内板４０の平面図である。また、図４（Ｃ）（Ｄ）は、本実施形態の動作を示す図である。
【００３６】
図４（Ｂ）に示すように、第２排水孔１４４は、内天板４１において第１排水孔２４に対応する位置に複数設けられており、その形状は第１排水孔２４より大きく構成されている。この第２排水孔１４４の形状は、できるだけ大きく構成されることが好ましい。これは、第２排水孔１４４が大きく構成されることにより、内天板４１の形状が網目状に近くなり、外天板２１と内天板４１との隙間に入り込んだ水が速やかに第２排水孔１４４を通じて排出され、水に含まれる塵や汚泥等が外天板２１と内天板４１との隙間にたまることが少なくなり、内板４０のスライド動作不良を防止することができるからである。
【００３７】
次に、本実施形態のスライド式ピット蓋１０の動作及び作用を説明する。
図４（Ｃ）に示すように、外板２０の内側で内板４０が図の左方向に位置するとき、外天板２１に設けられた第１排水孔２４と、内天板４１に設けられた第２排水孔１４４とが互いに重なり、当該孔を通じて排水及び通気がなされる。このとき、第２排水孔１４４が第１排水孔２４より大きく構成されているため、第１排水孔２４から落下する水が、第２排水孔１４４の縁を伝わることが殆どない。このため、水が外天板２１と内天板４１との隙間に入りにくくなり、水に含まれる塵や汚泥等が外天板２１と内天板４１との隙間に詰まることが少なくなり、内板４０のスライド動作不良を防止することができる。
【００３８】
また、図４（Ｄ）に示すように、内板４０を図の右方向にスライドさせると、第１排水孔２４と内天板４１の板部分とが重なり、第１排水孔２４が閉じられる。このときも、第２排水孔１４４が大きく構成されることによって、外天板２１の裏側において、第１排水孔２４の周囲に隣接する第２排水孔１４４が配置され、第１排水孔２４から外天板２１と内天板４１との隙間に入り込んだ水が、速やかに隣接する第２排水孔１４４を通じて排出され、水に含まれる塵や汚泥等が外天板２１と内天板４１との隙間にたまること、及び内板４０の動作不良を防止することができる。
【００３９】
［第３実施形態］
次に、本発明のスライド式ピット蓋１０の他の実施形態を説明する。なお、上述の第１実施形態及び第２実施形態と構成が同じ箇所は、同じ符号を付して説明を省略する。図５（Ａ）は、本発明の第３実施形態に係るスライド式ピット蓋１０の外板２０の平面図であり、図５（Ｂ）は、本実施形態の内板４０の平面図である。また、図５（Ｃ）（Ｄ）は、本実施形態の動作を示す図である。
【００４０】
図５（Ｂ）に示すように、本実施形態では、第２排水孔２４４が第１排水孔２４，１２４より大きく構成されるとともに、第１排水孔２４が内天板４１により閉じられたときに、第２排水孔２４４の形状が外天板２１の裏側において第１排水孔２４の周りを囲むようコ字形に構成されている。なお、第１排水孔１２４は、図５（Ａ）に示すように、複数設けられた第１排水孔のうち、外天板２１の端部近傍に設けられた排水孔である。
【００４１】
次に、本実施形態のスライド式ピット蓋１０の動作及び作用を説明する。
図５（Ｃ）に示すように、外板２０の内側で内板４０が図の左方向に位置するとき、外天板２１に設けられた第１排水孔２４，１２４と、内天板４１に設けられた第２排水孔２４４とが互いに重なり、当該孔を通じて排水及び通気がなされる。このとき、第２排水孔２４４が第１排水孔２４，１２４より大きく構成されているため、上記の第２実施形態同様の理由により、内板４０の動作不良を防止することができる。
【００４２】
また、図５（Ｄ）に示すように、内板４０を図の右方向にスライドさせると、第１排水孔２４，１２４と内天板４１の板部分とが重なり、第１排水孔２４，１２４が閉じられる。このとき、第２排水孔２４４が大きく、かつ第１排水孔２４，１２４の周りを囲むようコ字形に構成されることによって、外天板２１の裏側において、第１排水孔２４，１２４の周囲に第２排水孔２４４が存在し、上記の第２実施形態同様の理由により、内板４０の動作不良を防止することができる。
【００４３】
さらに、本実施形態では、第２排水孔２４４の形状をコ字形にすることで、外天板２１の端部に配置された第１排水孔１２４の周囲においても、外天板２１の裏側において第２排水孔２４４を存在させることができるため、全ての第１排水孔２４，１２４の周囲に第２排水孔２４４を存在させることができる。このため、第１排水孔２４，１２４から外天板２１と内天板４１との隙間に入り込んだ水を、より速やかに第２排水孔２４４から排出させることができ、内板４０のスライド動作不良をより防止することができる。
【００４４】
［第４実施形態］
次に、本発明のスライド式ピット蓋１０の他の実施形態を説明する。なお、上述の第１実施形態、第２実施形態及び第３実施形態と構成が同じ箇所は、同じ符号を付して説明を省略する。図６（Ａ）は、本発明の第４実施形態に係るスライド式ピット蓋１０の外板２０の平面図であり、図６（Ｂ）は、本実施形態の内板４０の平面図である。また、図５（Ｃ）（Ｄ）は、本実施形態の動作を示す図である。
【００４５】
図６（Ｂ）に示すように、内天板４１には第２実施形態と同様の第２排水孔１４４に加えて、第３排水孔５０が複数設けられている。この第３排水孔５０が設けられる位置は、内天板４１により第１排水孔２４，１２４が閉じられたとき、外天板２１の裏側において第１排水孔の周囲に第２排水孔１４４が存在しない位置である。すなわち、複数配置された第１排水孔２４，１２４のうち、主に外天板２１の端部に配置された第１排水孔１２４の周囲に設けられる。
【００４６】
次に、本実施形態のスライド式ピット蓋１０の動作及び作用を説明する。
図６（Ｃ）に示すように、外板２０の内側で内板４０が図の左方向に位置するとき、外天板２１に設けられた第１排水孔２４，１２４と、内天板４１に設けられた第２排水孔１４４とが互いに重なり、当該孔を通じて排水及び通気がなされる。このとき、第２排水孔１４４が第１排水孔２４，１２４より大きく構成されているため、上記の第２実施形態同様の理由により、内板４０の動作不良を防止することができる。
【００４７】
また、図６（Ｄ）に示すように、内板４０を図の右方向にスライドさせると、第１排水孔２４，１２４と内天板４１の板部分とが重なり、第１排水孔２４，１２４が閉じられる。このとき、第２排水孔１４４の作用は第２実施形態と同じであるが、本実施形態では、さらに第３排水孔５０が、外天板２１の裏側において第１排水孔１２４の周囲の第２排水孔１４４が存在しない位置に設けられている。このため、内天板４１により第１排水孔２４，１２４が閉じられたとき、外天板２１の裏側において全ての第１排水孔２４，１２４の周囲に第２排水孔１４４又は第３排水孔５０が存在し、第１排水孔２４，１２４から外天板２１と内天板４１との隙間に入り込んだ水が速やかに第２排水孔１４４又は第３排水孔５０を通じて排出され、内板４０の動作不良をより防止することができる。
【００４８】
以上説明したように、本発明に係るスライド式ピット蓋１０によれば、任意に第１排水孔２４の開閉を行うことができるため、ピット蓋の排水及び通気の程度を簡単に設定できる。また、構造が簡単であるため製造コストを低減できるとともに、故障し難くメンテナンスも容易である。さらに、外板２０と内板４０が略密着された状態であるため、蓋が二重構造となり強度に優れる。またさらに、操作孔２５と操作用突起４５により、内板４０のスライドを簡単に操作及び固定できるとともに、内板４０が外板２０から脱落することを防止できる。
【００４９】
また、第２排水孔１４４を第１排水孔２４より大きく構成することで、第１排水孔２４が開かれた状態では第２排水孔１４４の縁から水が外天板２１と内天板４１との隙間に入り込むことが少なくなる。さらに、第１排水孔２４が閉じられた状態では、第１排水孔２４から外天板２１と内天板４１との隙間に入り込んだ水が速やかに隣接する第２排水孔１４４を通じて排出され、水に含まれる塵や汚泥等が外天板２１と内天板４１との隙間に詰まることが少なくなり、内板４０の動作不良を防止することができる。
【００５０】
また、第２排水孔１４４をコ字形とすることにより、外天板２１の端部に設けられた第１排水孔１２４であっても、外天板２１の裏側において第１排水孔１２４の周囲に第２排水孔１４４が配置される。これにより、第１排水孔１２４から外天板２１と内天板４１との隙間に入り込んだ水がより速やかに排出され、水に含まれる塵や汚泥等が外天板２１と内天板４１との隙間に詰まることがより少なくなり、内板４０の動作不良をより防止することができる。
【００５１】
また、第２排水孔１４４をコ字形とすることに代えて、第３排水孔５０をさらに設けることにより、外天板２１の端部に設けられた第１排水孔１２４であっても、外天板２１の裏側において全ての第１排水孔２４，１２４の周囲に第２排水孔１４４又は第３排水孔５０が配置される。このため、上記同様の作用により、内板４０の動作不良をより防止することができるとともに、第２排水孔１４４及び第３排水孔５０を長方形等の簡単な形状とすることができ、製造コストを低減することができる。
【００５２】
なお、上述した各実施形態は、本発明のスライド式ピット蓋の例示であり、本発明の趣旨を逸脱しない範囲において、構成の一部を適宜変更して実施できる。
【符号の説明】
【００５３】
１０・・スライド式ピット蓋
２０・・外板、２１・・外天板、２２・・外側板、２３・・底板、２４・・第１排水孔、１２４・・第１排水孔（端部に配置されたもの）、２５・・操作孔、２６・・操作孔の端部、
４０・・内板、４１・・内天板、４２・・内側板、４３・・内側板の下端、４４，１４４，２４４・・第２排水孔、４５・・操作用突起、４６・・ナット、４７・・ボルト（ホーローネジ）、４８・・頭部、４９・・ネジ先、５０・・第３排水孔５０、
【図１】
2014224361.tif 000003
【図２】
2014224361.tif 000004
【図３】
2014224361.tif 000005
【図４】
2014224361.tif 000006
【図５】
2014224361.tif 000007
【図６】
2014224361.tif 000008